(57)【特許請求の範囲】
【請求項１】
光を透過するための開口を有する光遮光性の絞り板と、
一端が前記絞り板の周縁に固定され他端が可動とされており、それぞれ少なくとも一部が前記絞り板の前記開口の異なる部分を遮蔽するように前記絞り板上に配置された光遮光性および可撓性を有する複数の絞り羽根と、
前記絞り板と前記絞り羽根との間に静電気力を生ぜしめるように、前記絞り板および前記絞り羽根のうち少なくともいずれか一方に電圧を印加する電源手段と、
前記静電気力を選択的に引力または斥力とするように、前記電源手段を制御する制御手段とからなり、
前記絞り羽根が、一部にスリットを有するものであり、
前記静電気力により前記絞り羽根の前記他端を前記スリットで屈曲させて、前記絞り羽根が前記開口を遮蔽する面積を増減することにより前記開口の光が透過する領域の大きさを調節するものであることを特徴とする可変絞り装置。
【請求項２】
光を透過するための開口を有する光遮光性の絞り板と、
一端が前記絞り板の周縁に固定され他端が可動とされており、それぞれ少なくとも一部が前記絞り板の前記開口の異なる部分を遮蔽するように前記絞り板上に配置された光遮光性および可撓性を有する複数の絞り羽根と、
前記絞り板と前記絞り羽根との間に静電気力を生ぜしめるように、前記絞り板および前記絞り羽根のうち少なくともいずれか一方に電圧を印加する電源手段と、
前記静電気力を選択的に引力または斥力とするように、前記電源手段を制御する制御手段とからなり、
前記絞り羽根が、該絞り羽根の前記一端側の一部に切り欠き部を有するものであり、
前記静電気力により前記絞り羽根の前記他端を前記切り欠き部で屈曲させて、前記絞り羽根が前記開口を遮蔽する面積を増減することにより前記開口の光が透過する領域の大きさを調節するものであることを特徴とする可変絞り装置。
【請求項３】
光を透過するための開口を有する光遮光性の絞り板と、
一端が前記絞り板の周縁に固定され他端が可動とされており、それぞれ少なくとも一部が前記絞り板の前記開口の異なる部分を遮蔽するように前記絞り板上に配置された光遮光性および可撓性を有する複数の絞り羽根と、
前記絞り板と前記絞り羽根との間に静電気力を生ぜしめるように、前記絞り板および前記絞り羽根のうち少なくともいずれか一方に電圧を印加する電源手段と、
前記静電気力を選択的に引力または斥力とするように、前記電源手段を制御する制御手段とからなり、
前記絞り板の前記開口を囲むようにして前記絞り板上に立設され、さらに前記絞り板に対して略平行となる部分を有する電極壁と、
前記絞り羽根と前記電極壁との間に第二の静電気力を生ぜしめるように、前記電極壁に電圧を印加する第二に電源手段と、
前記第二の静電気力を選択的に引力または斥力とするように、前記第二の電源手段を制御する第二の制御手段とをさらに備え、
前記静電気力および前記第二の静電気力により前記絞り羽根の前記他端を変位させて、前記絞り羽根が前記開口を遮蔽する面積を増減することにより前記開口の光が透過する領域の大きさを調節すること特徴とする可変絞り装置。
【請求項４】
前記絞り板が、導電性を有するものであることを特徴とする請求項１から３いずれか記載の可変絞り装置。
【請求項５】
前記導電性を有する絞り板が、ガラス板と該ガラス板の片面に備えられた透明電極膜からなることを特徴とする請求項４記載の可変絞り装置。
【請求項６】
前記絞り羽根が、エレクトレット素材からなり、所定の電荷が帯電されているものであることを特徴とする請求項１から５いずれか記載の可変絞り装置。
【請求項７】
前記絞り羽根が、導電性を有するものであることを特徴とする請求項１から５いずれか記載の可変絞り装置。
【請求項８】
前記導電性を有する絞り羽根が、薄膜電極と該薄膜電極を挟む絶縁フイルムとからなることを特徴とする請求項７記載の可変絞り装置。
【請求項９】
請求項１から８いずれか記載の可変絞り装置を内蔵したことを特徴とする内視鏡。
【発明の詳細な説明】
【０００１】
【発明の属する技術分野】
本発明は光学機器の可変絞り装置に関するものであり、特に内視鏡等の小型の観察光学系に好適な可変絞り装置に関するものである。
【０００２】
また、本発明は可変絞り装置を内蔵する内視鏡に関するものである。
【０００３】
【従来の技術】
従来より、カメラ、ビデオムービー等の光学機器には絞り装置が設けられ、像面照度並びに被写界深度の調節が行われている。周知のように、像面照度と被写界深度との間には相反する関係がある。即ち、像面照度を高くしようとして絞りを開くと被写界深度が浅くなり、像面照度を低くしようとして絞りを閉じると被写界深度が深くなる。従って、一般の光学機器では被写体に応じ、絞りを最適絞り値に設定するため可変絞り装置が用いられてきた。
【０００４】
観察光学系の小型化を要する内視鏡においては、省スペースで実現できる固定絞りが一般に採用されてきた。通常この固定絞りは、絞りを絞って被写界深度を深く取った状態に設定されている。このように、従来の内視鏡においては固定絞りを採用していたため、被写体に応じて絞り値を調節することができず、蛍光観察のように極端に暗い被写体や遠点の暗い被写体、また逆に近点の極端に明るい被写体等の観察が適切にできないという問題点があった。そのため、内視鏡のような小型の観察光学系にも適応できる可変絞り装置の実現が要望されていた。
【０００５】
上記事情を鑑みて、既に数種の内視鏡用可変絞り装置が提案されている。例えば、特開昭63-273810 号においては、エレクトロクロミック材料を用いて光の遮断・透過を制御するエレクトロクロミック絞りが提案されている。しかし、現状のエレクトロクロミック材料は、可視光領域で充分な遮断特性を得ることができない。そのため、特開昭63-273810 号に開示された可変絞りでは充分な遮光効果が得られず、絞りを閉じた状態を実現することができない。
【０００６】
また、特開平２-46423号においては、液晶を用いて光の遮断・透過を制御する液晶絞りが提案されている。しかし、液晶は、透過状態にした場合でも透過率は30％程度しか得られず、光の利用効率が悪い。そのため、液晶絞りを用いると絞りを開いた状態でも明るい光学系を達成することができず、暗い被写体の撮影には不向きになる。
【０００７】
特開平4-312436号においては、形状記憶合金の機械的変形を用いて光の遮断・透過を制御する可変絞りが提案されている。しかし、これでは形状記憶合金を機械的に変形させるために形状記憶合金を加熱或いは冷却し、転移点前後で熱制御する必要がある。そのため、動作速度が遅いという欠点がある。
【０００８】
また、特開平4-283715号に開示された可変絞りは、電磁石のON/OFFによって絞り羽根を動作させ、光の遮断・透過を制御するものである。しかし、電磁石を用いた可変絞り装置では装置サイズが大きくなり、内視鏡先端部に組み込もうとすると内視鏡が太くなるという問題点があり、内視鏡において重要な光学系の小型化が実現できない。
【０００９】
さらに、特開平7-140401号では、静電フイルムアクチュエータのスライド動作により光の遮断・透過を制御する可変絞りが示されている。しかし、静電フイルムアクチュエータのスライド動作は摩擦を伴う運動のために動作が確実でなく、充分な信頼性が得られないという問題がある。また、信頼性を向上させるためには、使用環境を乾燥状態に保つ必要があり、装置の複雑化を招くという欠点がある。また、耐磨耗性を確保する事が難しいという問題がある。
【００１０】
【発明が解決しようとする課題】
前記従来より提案されている各種装置の欠点に基づき可変絞り装置に求められる課題を整理すると、以下に示す機械的特性と光学的特性に分類される。
【００１１】
(1)機械的特性
1)小型化できること
2)動作が確実で信頼性があること
3)動作の応答が早いこと
(2)光学的特性
1)光透過部の透過特性に優れること
2)光遮断部の遮断特性に優れること
本発明は、上記事情を鑑みてなされたものであって、上記課題を解決する可変絞り装置および可変絞り装置を内蔵した内視鏡を提供することを目的とするものである。
【００１２】
【課題を解決するための手段】
本発明の可変絞り装置は、光を透過するための開口を有する光遮光性の絞り板と、
一端が前記絞り板の周縁に固定され他端が可動とされており、それぞれ少なくとも一部が前記絞り板の前記開口の異なる部分を遮蔽するように前記絞り板上に配置された光遮光性および可撓性を有する複数の絞り羽根と、
前記絞り板と前記絞り羽根との間に静電気力を生ぜしめるように、前記絞り板および前記絞り羽根のうち少なくともいずれか一方に電圧を印加する電源手段と、
前記静電気力を選択的に引力または斥力とするように、前記電源手段を制御する制御手段とからなり、
前記静電気力により前記絞り羽根の前記他端を変位させて、前記絞り羽根が前記開口を遮蔽する面積を増減することにより前記開口の光が透過する領域の大きさを調節することを特徴とするものである。
【００１３】
また、上記可変絞り装置において、前記絞り板の前記開口を囲むようにして前記絞り板上に立設された電極壁と、
前記絞り羽根と前記電極壁との間に第二の静電気力を生ぜしめるように、前記電極壁に電圧を印加する電源手段と、
前記第二の静電気力を選択的に引力または斥力とするように、前記電源手段を制御する制御手段とをさらに備え、
前記第二の静電気力により前記絞り羽根の前記他端を変位させて、前記絞り羽根が前記開口を遮蔽する面積を増減することにより前記開口の光が透過する領域の大きさを調節してもよい。
【００１４】
前記電極壁は、前記絞り板に対して略垂直に延びるものであってもよいし、前記絞り板に対して略平行となる部分を有するものであってもよい。
【００１５】
ここで、静電気力を選択的に引力または斥力とするとは、電源手段によって印加する電圧を正、負間で切り換えることによって静電気力で互いに引き合う力、または反発し合う力を生ぜしめることを意味する。
【００１６】
この時、前記静電気力および前記第二の静電気力を生ぜしめる電源手段は共通のものであってもよいし、別個に設けてもよい。電源手段を別個に設けた場合、各電源手段を制御する制御手段もそれぞれ別個に設けてもよいし、共通のものとしてもよい。
【００１７】
前記絞り板は、導電性を有するものであり、例えば、絞り板自身が金属製であってもよいし、ガラス板と該ガラス板の片面に備えられた透明電極膜からなるものであってもよい。
【００１８】
前記絞り羽根は、エレクトレット素材からなり所定の電荷が帯電されているものを用いてもよいし、導電性を有するものであって、例えば、薄膜電極と該薄膜電極を挟む絶縁フイルムとからなるものであってもよい。
【００１９】
また、前記絞り羽根は、一部にスリットを有し、該スリット部で屈曲して前記他端を変位させるものであってもよいし、前記一端側に切り欠き部を有し、該切り欠き部で屈曲して前記他端を変位させるものであってもよい。
【００２０】
また、本発明の内視鏡装置は、上述の可変絞り装置を内蔵したことを特徴とするものである。
【００２１】
【発明の効果】
本発明の可変絞り装置は、絞り板と絞り羽根との間に生ずる静電気力による引力または斥力を利用して開口面積を変化させるようにしたもので、複雑な機械的構造や電磁石等を用いることがないため、構成が簡単で小型化を実現することができる。
【００２２】
また、前記静電気力により前記絞り羽根の前記可動な他端を変位させて、前記絞り羽根が前記開口を遮蔽する面積を増減することにより前記開口の光が透過する領域の大きさを調節するものであるため、動作が確実で高い信頼性を有し、また、高速な応答が可能である。光は開口を透過するため、充分に高い透過率が得られ、暗い被写体の撮影にも対応することができる。
【００２３】
なお、光遮光性の絞り板および光遮光性の絞り羽根を用いているため、光遮断部においては遮光を十分に行うことができる。
【００２４】
さらに、絞り板の前記開口を囲むようにして該絞り板上に電極壁を立設し、該電極壁と絞り羽根との間に第二の静電気力を生ぜしめ、この第二の静電気力による引力または斥力をも利用することによって、絞り羽根の変位動作をより確実なものとすることができる。
【００２５】
【発明の実施の形態】
以下に本発明の具体的な実施の形態を説明する。
【００２６】
図９に本発明の電子内視鏡装置を示す。内視鏡２の先端部３は生体内部１の所望の観察部位に挿入され、内視鏡２で得られた像はディスプレイ４に映し出される。
【００２７】
図１０は内視鏡先端部３を詳細に示したものである。先端に照明窓および観察窓が設けられており、照明窓の内側には照明レンズ35が備えられている。該照明レンズ35のさらに内側には生体内部１の観察部位を照射する照明光38を伝送するライトガイド36が配置されている。また、観察窓の内側には生体１からの観察光37を結像する対物レンズ31, 32が備えられており、これら対物レンズ31, 32の間には像面照度および被写界深度を調節する可変絞り装置100 が配置されている。さらに、観察光37が結像されるＣＣＤ等の撮像素子34と、該撮影素子34に観察像を偏向させるプリズム33とが備えられている。
【００２８】
ライトガイド36により伝送された照明光38は照明レンズ35を経て照明窓から出射されて生体１の観察部位に照射される。観察部位からの観察光37は観察窓で受光され、対物レンズ31, 32、可変絞り装置100 およびプリズム33を経て撮像素子34に観察像が結合されて観察者はディスプレイ４上で観察部位を観察する。
【００２９】
以下に本発明に係る可変絞り装置100 の具体的な実施の形態における構成および作用の例を挙げる。
【００３０】
＜可変絞り装置の第一の実施の形態＞
（構成）
図１は、可変絞り装置100 の第一の実施形態における上面（Ａ）、正面（Ｂ）および底面（Ｃ）概略図である。本可変絞り装置100 は、電極を兼ねる金属製円板状の絞り板110 、該絞り板110 の周縁部114 に一端が固定され他端は自由な円錐台形状の絞り羽根101 〜108 、および電源120 から構成される。
【００３１】
絞り板110 は、詳しくは周縁部114 およびステー部113 からなり、直径ａの中心開口112 と直径ｂの輪帯開口111 を有する。
【００３２】
絞り羽根101 の断面概略図を図７（Ａ）に示す。絞り羽根101 は、薄膜電極101aと該薄膜電極101aを挟むテフロン(PITFE )等の樹脂フィルムからなる絶縁フィルム101b, 101cとの三層構造であり、可撓性ならびに光遮光性を有するものである（羽根102 〜108 も同様）。
【００３３】
なお電源120 は、リード線121,122 によってそれぞれ、絞り板110 および絞り羽根101 〜108 の各薄膜電極101a〜108aに接続されている。
【００３４】
（作用）
絞り径を最小に絞る場合は、電源120 を駆動し、リード線121 に負電圧、リード線122 に正電圧を印加する。これにより、正電圧が印加されている薄膜電極101a〜108aと、負電圧が印加されている絞り板110 のステー部113 及び周縁部114 との間に静電引力が働くため、絞り羽根101 〜108 が閉じて絞り板110 の輪帯開口111 を覆い、光は直径ａの中心開口112 のみを通過する。このように絞り羽根101 〜108 が閉じた状態の時、絞り羽根101 〜108 の隙間から漏れる光は、ステー部113 によって遮断されている。
【００３５】
絞りを開放する場合は、電源120 を切換え、リード線121 ならびに122 双方に正電圧を印加する。これにより、正電圧が印加されている薄膜電極101a〜108aと、同様に正電圧が印加されている絞り板110 のステー部113 及び周縁部114 との間に静電斥力が働くため、図１（Ｂ）に示す点線位置まで絞り羽根101 〜108 が開き、光は中心開口112 および輪帯開口111 を含む直径ｂの円内を通過する。この時、輪帯開口111 を通過する光はステー部113 によって一部遮断される。しかし、輪帯開口111 に比べてステー部113 の面積は充分に小さいので、光学的影響はほとんどない。
【００３６】
＜可変絞り装置の第二の実施の形態＞
（構成）
図２は、可変絞り装置100 の第二の実施形態における上面（Ａ）、正面（Ｂ）および底面（Ｃ）概略図である。本可変絞り装置100 は、電極を兼ねる金属製円板状の絞り板110 、該絞り板110 の周縁部114 に一端が固定され他端は自由な円錐台形状の絞り羽根101 〜108 、絞り板110 の後述の輪帯開口111 を囲むようにして絞り板110 上に立設された電極壁131 〜138 および電源120 から構成される。
【００３７】
絞り板110 は、詳しくは周縁部114 およびステー部113 からなり、直径ａの中心開口112 と直径ｂの輪帯開口111 を有する。
【００３８】
絞り羽根101 は、詳しくは図７（Ａ）に示すように、薄膜電極101aと該薄膜電極101aを挟むテフロン(PITFE )等の樹脂フィルムからなる絶縁フィルム101b, 101cとの三層構造であり、可撓性ならびに光遮光性を有するものである（羽根102 〜108 も同様）。
【００３９】
なお電源120 は、リード線121,122,123 によって、それぞれ、絞り板110 、絞り羽根101 〜108 の各薄膜電極および電極（電極壁）131 〜138 に接続されている。
【００４０】
（作用）
絞り径を最小に絞る場合は、電源120 を駆動し、リード線121 に負電圧、リード線122 および123 に正電圧を印加する。これにより、正電圧が印加されている薄膜電極101a〜108aと、負電圧が印加されている絞り板110 のステー部113 及び周縁部114 との間に静電引力が働き、正電圧が印加されている電極131 〜138 と正電圧が印加されている薄膜電極101aとの間に静電斥力が働くため、絞り羽根101 〜108 が閉じて絞り板110 の輪帯開口111 を覆い、光は直径ａの中心開口112 のみを通過する。このように絞り羽根101 〜108 が閉じた状態の時、絞り羽根101 〜108 の隙間から漏れる光は、ステー部113 によって遮断されている。
【００４１】
絞りを開放する場合は、電源120 を切換え、リード線121 および122 に正電圧、リード線123 に負電圧を印加する。これにより、正電圧が印加されている薄膜電極101a〜108aと、正電圧が印加されている絞り板110 のステー部113 及び周縁部114 との間に静電斥力が働き、負電圧が印加されている電極131 〜138 と正電圧が印加されている薄膜電極101a〜108aとの間に静電引力が働くため、図２（Ｂ）に示す点線位置まで絞り羽根101 〜108 が開き、光は中心開口112 および輪帯開口111 を含む直径ｂの円内を通過する。この時、輪帯開口111 を通過する光はステー部113 によって一部遮断される。しかし、輪帯開口111 に比べてステー部113 の面積は充分に小さいので、光学的影響はほとんどない。
【００４２】
＜可変絞り装置の第三の実施の形態＞
（構成）
図３は、可変絞り装置100 の第三の実施形態における上面（Ａ）、正面（Ｂ）および底面（Ｃ）概略図である。本可変絞り装置100 は、ガラス製円板状の絞り板110 、該絞り板110 の周縁部114 に一端が固定され他端は自由な円錐台形状の絞り羽根101 〜108 、および電源120 から構成される。
【００４３】
絞り板110 は、詳しくは光遮光処理された周縁部114 およびステー部113 からなり、直径ａの中心開口112 と直径ｂの輪帯開口111 を有する。さらに、周縁部114 並びに輪帯開口111 の底面には、ITO 膜から成り光透過性に優れる透明電極膜115 が備えられている。
【００４４】
絞り羽根101 〜108 の断面概略図を図７（Ｂ）に示す。絞り羽根101 〜108 は、ポリフッカビニリデン(PVDF)樹脂等をエレクトレット処理したエレクトレットフィルムから構成される。ここでは、負にエレクトレット処理されている（図中"−"記号は負に帯電していることを意味する）。エレクトレットフィルムは、可撓性ならびに光遮光性を有するものである。
【００４５】
なお、電源120 は、リード線121 によって、透明電極膜115 に接続されている。
【００４６】
（作用）
絞り径を最小に絞る場合は、電源120 を駆動し、リード線121 に正電圧を印加する。絞り羽根101 〜108 は負に帯電しているため、該絞り羽根101 〜108 と正電圧が印加されている透明電極膜115 との間に静電引力が働く。これにより、絞り羽根101 〜108 が閉じて絞り板110 の輪帯開口111 を覆い、光は直径ａの中心開口112 のみを通過する。このように絞り羽根101 〜108 が閉じた状態の時、絞り羽根101 〜108 の隙間から漏れる光は、ステー部113 によって遮断されている。
【００４７】
絞りを開放する場合は、電源120 を切換え、リード線121 に負電圧を印加する。絞り羽根101 〜108 は負に帯電しているため、該絞り羽根101 〜108 と負電圧が印加されている透明電極膜115 との間に静電斥力が働く。これにより、図３（Ｂ）に示す点線位置まで絞り羽根101 〜108 が開き、光は中心開口112 および輪帯開口111 を含む直径ｂの円内を通過する。この時、輪帯開口111 を通過する光はステー部113 によって一部遮断される。しかし、輪帯開口111 に比べてステー部113 の面積は充分に小さいので、光学的影響はほとんどない。
【００４８】
＜可変絞り装置の第四の実施の形態＞
（構成）
図４は、可変絞り装置100 の第四の実施形態における上面（Ａ）、正面（Ｂ）および底面（Ｃ）概略図を示す。本可変絞り装置100 は、ガラス製円板状の絞り板110 、該絞り板110 の周縁部114 に一端が固定され他端は自由な円錐台形状の絞り羽根101 〜108 、絞り板110 の後述の輪帯開口111 を囲むようにして絞り板110 上に立設された電極壁131 〜138 および電源120 から構成される。
【００４９】
絞り板110 は、詳しくは光遮光処理された周縁部114 およびステー部113 からなり、直径ａの中心開口112 と直径ｂの輪帯開口111 を有する。さらに、周縁部114 並びに輪帯開口111 の底面には、ITO 膜から成り光透過性に優れる透明電極膜115 が備えられている。
【００５０】
絞り羽根101 〜108 は、詳しくは図７（Ｂ）に示すように、ポリフッカビニリデン(PVDF)樹脂等をエレクトレット処理したエレクトレットフィルムから構成される。ここでは、負にエレクトレット処理されている。エレクトレットフィルムは、可撓性ならびに光遮光性を有するものである。
【００５１】
なお、電源120 は、リード線121,122 によって、透明電極膜115 および電極（電極壁）131 〜138 に接続されている。
【００５２】
（作用）
絞り径を最小に絞る場合は、電源120 を駆動し、リード線121 に正電圧、リード線122 に負電圧を印加する。絞り羽根101 〜108 は負に帯電しているため、絞り羽根101 〜108 と正電圧が印加されている透明電極膜115 との間に静電引力が働き、負電圧が印加されている電極131 〜138 との間に静電斥力が働く。これにより、絞り羽根101 〜108 が閉じて絞り板110 の輪帯開口111 を覆い、光は直径ａの中心開口112 のみを通過する。このように絞り羽根101 〜108 が閉じた状態の時、絞り羽根101 〜108 の隙間から漏れる光はステー部113 によって遮断されている。
【００５３】
絞りを開放する場合は、電源120 を切換え、リード線121 に負電圧、リード線122 に正電圧を印加する。絞り羽根101 〜108 は負に帯電しているため、該絞り羽根101 〜108 と負電圧が印加されている透明電極膜115 との間に静電斥力が働き、正電圧が印加されている電極131 〜138 との間に静電引力が働く。これにより、図４（Ｂ）に示す点線位置まで絞り羽根101 〜108 が開き、光は中心開口112 および輪帯開口111 を含む直径ｂの円内を通過する。この時、輪帯開口111 を通過する光はステー部113 によって一部遮断される。しかし、輪帯開口111 に比べてステー部113 の面積は充分に小さいので、光学的影響はほとんどない。
【００５４】
＜可変絞り装置の第五の実施の形態＞
（構成）
図５は、可変絞り装置100 の第五の実施形態における上面（Ａ）、正面（Ｂ）および底面（Ｃ）概略図を示す。本可変絞り装置100 は、ガラス製円板状の絞り板110 、該絞り板110 の周縁部114 に一端が固定され他端は自由な円錐台形状の絞り羽根101 〜108 、絞り板110 の後述の輪帯開口111 を囲むようにして絞り板110 上に立設された電極壁131'〜138'および電源120 から構成される。
【００５５】
本実施形態における電極壁131'〜138'は、その一部が絞り板110 に対して平行となるような形状に形成されている。該形状とすることにより、前述の実施形態の場合と比較して電極壁を光軸方向へ延長することなく、電極壁および絞り羽根の可動部分の面積を大きくすることができる。電極壁と絞り羽根との接触可能な面積が大きくなることにより、両者間に働く静電気力を大きくすることができ、絞り羽根の開閉を確実に行うことができる。
【００５６】
絞り板110 は、詳しくは光遮光処理された周縁部114 およびステー部113 からなり、直径ａの中心開口112 と直径ｂの輪帯開口111 を有する。さらに、周縁部114 並びに輪帯開口111 の底面には、ITO 膜から成り光透過性に優れる透明電極膜115 が備えられている。
【００５７】
絞り羽根101 〜108 は、詳しくは図７（Ｂ）に示すように、ポリフッカビニリデン(PVDF)樹脂等をエレクトレット処理したエレクトレットフィルムから構成される。ここでは、負にエレクトレット処理されている。エレクトレットフィルムは、可撓性ならびに光遮光性を有するものである。
【００５８】
なお、電源120 は、リード線121,122 によって、透明電極膜115 および電極（電極壁）131'〜138'に接続されている。
【００５９】
（作用）
本実施形態の作用は上記第四の実施形態における作用とほぼ同様である。絞り開放時、絞り羽根101 〜108 は、電極壁131'〜138'の形状に沿って、折れ曲がった状態で同電極に引きつけられる。第二または第四の実施形態における電極壁131 〜138 の場合と比較して、絞り羽根101 〜108 の可動な部分の面積が広がったため、羽根101 〜108 はより動き易くなる。また、絞り羽根101 〜108 と電極壁131'〜138'との接触可能な面積が大きくなっているため、両者間に生じる静電気力は同等の電圧を印加した場合の第二または第四の実施形態において生じる静電気力よりも大きくなり、絞り羽根101 〜108 の開閉の確実性を向上することができる。
【００６０】
以上に述べた各可変絞り装置においては、絞り径を最小に絞った場合と最大に開放した場合について説明したが、絞りの調節は印加電圧を調節することによって可能となる。
【００６１】
また、上記第三、第四および第五の実施形態の可変絞り装置における絞り板110 について、ステー部113 を設けないをものを図６に示す。通常、絞り羽根101 〜108 が閉じた状態の時、絞り羽根101 〜108 の隙間からいくらか光が漏れる。しかし、絞り羽根101 〜108 の隙間を小さくすると漏れ光を少なくできる。この漏れ光が僅かな場合は、図６のようにステー部113 を省略しても良い。
【００６２】
なお、上記第一から第四の実施形態において、絞り羽根101 〜108 に、例えば、図８（Ａ）のような切り欠き部201a、同図（Ｂ）のようなスリット201c等を設けても良い。切り欠き部201aあるいはスリット201cを設けたことによって、点線201bあるいは201dに沿って、羽根は容易に折り曲げ可能となり、絞りの開閉をよりスムーズに行うことができる。
【００６３】
また、上記第五の実施形態において、絞り羽根101 〜108 に、例えば図８（Ｃ）等のようなスリット201e,201fを設けてもよい。このスリット201e,201fによって、点線201g,201h に沿って、電極壁131'〜138'の絞り板110 に垂直な部分および平行な部分に沿うように羽根101 〜108 が容易に屈曲し、絞りの開閉をよりスムーズに行うことができる。
【図面の簡単な説明】
【図１】本発明の第一の実施形態に係る可変絞り装置の上面（Ａ）、正面（Ｂ）、底面（Ｃ）概略図
【図２】本発明の第二の実施形態に係る可変絞り装置の上面（Ａ）、正面（Ｂ）、底面（Ｃ）概略図
【図３】本発明の第三の実施形態に係る可変絞り装置の上面（Ａ）、正面（Ｂ）、底面（Ｃ）概略図
【図４】本発明の第四の実施形態に係る可変絞り装置の上面（Ａ）、正面（Ｂ）、底面（Ｃ）概略図
【図５】本発明の第五の実施形態に係る可変絞り装置の上面（Ａ）、正面（Ｂ）、底面（Ｃ）概略図
【図６】第三、第四および第五の実施形態における絞り板の他の態様を示す図
【図７】第一および第二の実施形態に用いられる絞り羽根（Ａ）と、第三、第四および第五の実施形態に用いられる絞り羽根（Ｂ）の断面概略図
【図８】切り欠き部またはスリットを有する絞り羽根を示す図
【図９】本発明の可変絞り装置を用いた電子内視鏡装置の説明図
【図１０】本発明の可変絞り装置を用いた電子内視鏡装置の先端部説明図
【符号の説明】
１    生体
２    内視鏡
３    内視鏡先端部
４    ディスプレイ
31, 32      対物レンズ
33    プリズム
34    撮像素子
35    照明レンズ
36    ライトガイド
37    観察光
38    照明光
100    可変絞り装置
101 〜108    絞り羽根
101a    薄膜電極
101b，101c    絶縁フィルム（テフロン(PTFE)等の樹脂フィルム）
110    絞り板
111    輪帯開口
112    中心開口
113    ステー部
114    周縁部
115    透明電極膜
120    電源
121 〜123    リード線
131 〜138    電極壁
【図１】
0003636252.tif 000002
【図２】
0003636252.tif 000003
【図３】
0003636252.tif 000004
【図４】
0003636252.tif 000005
【図５】
0003636252.tif 000006
【図６】
0003636252.tif 000007
【図７】
0003636252.tif 000008
【図８】
0003636252.tif 000009
【図９】
0003636252.tif 000010
【図１０】
0003636252.tif 000011